(57)【要約】【課題】防犯性が高められたシャッター装置を提供する。【解決手段】シャッター装置本体、及びシャッター装置本体の開閉操作をする開閉操作手段を有し、シャッター装置本体は、電動開閉機と、電動開閉機により回転する巻き取りシャフトと、巻き取りシャフトに一端を取り付けられ、該巻き取りシャフトに巻き上げ及び巻き戻されるシャッターカーテンと、所定の間隔を有して立設され、シャッターカーテンの両端部をガイドする複数のガイドレールと、電動開閉機に正転、逆転、及び回転停止の指令をするシャッター制御装置と、を備え、開閉操作手段は、操作部を具備し、該操作部の操作に基づいてシャッター制御装置にシャッターカーテンの開閉を指令する手段であり、開閉操作手段は、シャッター装置本体に備えられ、操作部を具備しない本体側装置と、操作部及び本体側装置に接続するケーブルを備える操作側装置と、を有し、操作側装置は本体側装置に着脱可能である。【選択図】図２
2014055410.tif 000002
【特許請求の範囲】
【請求項１】
シャッター装置本体、及び前記シャッター装置本体の開閉操作をする開閉操作手段を有するシャッター装置であって、
前記シャッター装置本体は、
電動開閉機と、
前記電動開閉機により回転する巻き取りシャフトと、
前記巻き取りシャフトに一端を取り付けられ、該巻き取りシャフトに巻き上げ及び巻き戻されるシャッターカーテンと、
所定の間隔を有して立設され、前記シャッターカーテンの両端部をガイドする複数のガイドレールと、
前記電動開閉機に正転、逆転、及び回転停止の指令をするシャッター制御装置と、を備え、
前記開閉操作手段は、操作部を具備し、該操作部の操作に基づいて前記シャッター制御装置に前記シャッターカーテンの開閉を指令する手段であり、
前記開閉操作手段は、
前記シャッター装置本体に備えられ、前記操作部を具備しない本体側装置と、
前記操作部及び前記本体側装置に接続するケーブルを備える操作側装置と、を有し、
前記操作側装置は前記本体側装置に着脱可能である、シャッター装置。
【請求項２】
前記本体側装置には、前記本体側装置と前記操作側装置との電気的接続の許容及び禁止を切り替える作動スイッチが備えられ、前記操作側装置を前記本体側装置に差し込むことにより前記作動スイッチが前記電気的接続を許容する、請求項１に記載のシャッター装置。
【請求項３】
前記本体側装置には、前記操作側装置を前記本体側装置に差し込むことの許容及び禁止を切り替えるシリンダー錠が備えられている請求項１又は２に記載のシャッター装置。
【請求項４】
前記本体側装置及び前記操作側装置には、両者が適切な組み合わせであるかを認証する手段を備える、請求項１乃至３のいずれか一項に記載のシャッター装置。
【請求項５】
前記シャッター装置本体が複数設けられ、それぞれの前記シャッター装置本体には前記本体側装置が配置され、１つの前記操作側装置で少なくとも２つのシャッター装置本体の前記シャッターカーテンの開閉操作が可能である請求項１乃至４のいずれか一項に記載のシャッター装置。
【発明の詳細な説明】
【技術分野】
【０００１】
本発明は、店舗、ビル、住宅、及び公共施設等に備えられるシャッター装置に関する。
【背景技術】
【０００２】
電動式で開閉するシャッター装置の開放及び閉鎖は、シャッターカーテンから離隔した建物の壁や柱等に設置された開閉ボックス内に設けられた操作部により行われる態様がよく知られている。このようなシャッター装置の防犯対策のため、開閉ボックスにフタを配置するとともに、このフタの開閉を許容及び禁止するシリンダー錠が設置されている。
しかしながら、このような開閉ボックスでは、シリンダー錠をこじ開ける等して破壊し、フタを開けると操作部を操作できてしまうため、必ずしも防犯性が高いとはいえなかった。
【０００３】
例えば特許文献１には、停電等の非常時に外部から電源をとるための装置を接続できる技術が開示されている。しかしこれはあくまでも非常時用であり、また操作部は通常のシャッター装置と同様に常時柱や壁等に設置されている。従って特許文献１に記載のような技術によっても防犯性を高めることはできない。
【先行技術文献】
【特許文献】
【０００４】
【特許文献１】特開２００３−３５０７８号公報
【発明の概要】
【発明が解決しようとする課題】
【０００５】
近年における防犯性向上に対する社会的な要請を鑑みると、上記のような従来の技術よりも防犯性を高めたシャッター装置が求められている。
【０００６】
そこで本発明は、防犯性が高められたシャッター装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、シャッター装置本体（１０）、及びシャッター装置本体の開閉操作をする開閉操作手段（２０）を有するシャッター装置（１）であって、シャッター装置本体は、電動開閉機（１６）と、電動開閉機により回転する巻き取りシャフト（１７）と、巻き取りシャフトに一端を取り付けられ、該巻き取りシャフトに巻き上げ及び巻き戻されるシャッターカーテン（１３）と、所定の間隔を有して立設され、シャッターカーテンの両端部をガイドする複数のガイドレール（１１）と、電動開閉機に正転、逆転、及び回転停止の指令をするシャッター制御装置（１８）と、を備え、開閉操作手段は、操作部（３２）を具備し、該操作部の操作に基づいてシャッター制御装置にシャッターカーテンの開閉を指令する手段であり、開閉操作手段は、シャッター装置本体に備えられ、操作部を具備しない本体側装置（２１）と、操作部及び本体側装置に接続するケーブル（３３）を備える操作側装置（３１）と、を有し、操作側装置は本体側装置に着脱可能である、シャッター装置により前記課題を解決する。
【０００９】
請求項２に記載の発明は、請求項１に記載のシャッター装置（１）において、本体側装置（２１）には、本体側装置と操作側装置（３１）との電気的接続の許容及び禁止を切り替える作動スイッチ（２４）が備えられ、操作側装置を本体側装置に差し込むことにより作動スイッチが電気的接続を許容する。
【００１０】
請求項３に記載の発明は、請求項１又は２に記載のシャッター装置（１）において、本体側装置（２１）には、操作側装置（３１）を本体側装置に差し込むことの許容及び禁止を切り替えるシリンダー錠（２５）が備えられている。
【００１１】
請求項４に記載の発明は、請求項１乃至３のいずれか一項に記載のシャッター装置（１）において、本体側装置（２１）及び操作側装置（３１）には、両者が適切な組み合わせであるかを認証する手段を備える。
【００１２】
請求項５に記載の発明は、請求項１乃至４のいずれか一項に記載のシャッター装置（１）において、シャッター装置本体（１０）が複数設けられ、それぞれのシャッター装置本体には本体側装置（２１）が配置され、１つの操作側装置（３１）で少なくとも２つのシャッター装置本体のシャッターカーテンの開閉操作が可能である。
【発明の効果】
【００１３】
本発明によれば、操作部をシャッター装置本体から離脱させることができるので、操作するきっかけを与えることがなく、悪戯や侵入の動機付けを絶つことが可能となる。これにより防犯性が高められる。また、複数のシャッター装置本体が存在する場合には、本体側装置が直接シャッター装置本体に備えられているので、使用者は迷うことなく開閉対象のシャッター装置の開閉をすることができる。
【図面の簡単な説明】
【００１４】
【図１】１つの実施形態に係るシャッター装置１の室外側正面図である。
【図２】開閉操作手段２０の外観図である。
【図３】図３（ａ）は本体側装置２１の正面図、図３（ｂ）は本体側装置２１の断面図である。
【図４】本体側装置２１に操作側装置３１を接続した場面における断面図である。
【発明を実施するための形態】
【００１５】
本発明の上記した作用及び利得は、次に説明する発明を実施するための形態から明らかにされる。以下本発明を図面に示す実施形態に基づき説明する。しかし本発明は当該実施形態に限定されるものではない。
【００１６】
図１は、１つの実施形態に係るシャッター装置１が建物に取り付けられた状態において、当該シャッター装置１を室外側正面から見た図である。ここで図１では、シャッター装置１が閉鎖され、通路又は空間が仕切られている姿勢が表されている。
【００１７】
シャッター装置１は、シャッター装置本体１０及び開閉操作手段２０を備えている。
【００１８】
シャッター装置本体１０は、建物の開口や通路等に対して配置されており、ガイドレール１１、まぐさ１２、シャッターカーテン１３、ケース１４、ブラケット１５、電動開閉機１６、巻取りシャフト１７、及びシャッター制御装置１８を備えている。
シャッター装置本体１０は公知のシャッター装置に備えられる上記各部材と同様の部材を用いることができる。以下に簡単に説明する。
【００１９】
ガイドレール１１は、所定の間隔を有して平行に立設された２本の長尺部材で、横断面が略コ字状に形成されている。ガイドレール１１は当該コ字状である開口部を対向させるように設置される。まぐさ１２は２つのガイドレール１１、１１の上部を渡すように取り付けられた長尺部材である。
【００２０】
シャッターカーテン１３は、上下に連結された複数のスラット１３ａ、及び下端に設けられた座板１３ｂを備えている。スラット１３ａは、シャッターカーテン１３の閉鎖の姿勢で、長手方向を水平に、幅方向を鉛直に配置される長尺の略板状の部材である。そして上下方向に隣り合うスラット１３ａの端部同士が、所定の回動が許容されるように連結されている。これにより巻取りが可能となる。座板１３ｂは、最下端のスラット１３ａに沿って配置される矩形断面を有する長尺部材で、その内側にスラット１３ａの下部を包含するように取り付けられている。
シャッターカーテン１３の左右両端部が２本のガイドレール１１、１１のコ字状の開口から内側に包含されるように配置される。このときシャッターカーテン１３はガイドレール１１、１１に固定はされないので、ガイドレール１１、１１の長手方向には移動が可能であり、これと直交する方向（図１の紙面奥／手前方向、室内外方向）の移動は制限される。これによりシャッターカーテン１３を適切にガイドレール１１、１１に沿って上下にガイドして移動させることができる。
【００２１】
ケース１４は、２つのガイドレール１１の上部を渡すように配置され、ブラケット１５、電動開閉機１６、巻取りシャフト１７、及びシャッター制御装置１８の大部分をその内側に隠蔽する箱状の部材である。これにより各構成部材を塵埃等から保護し、装置寿命伸ばしたり、装置の動作の信頼性を向上させたりすることができる。
【００２２】
ブラケット１５は、後述する巻取りシャフト１７の軸受けとなる複数の板材で、ケース１４の内側左右方向両端部のそれぞれに、面を対向するように並列されている。
【００２３】
電動開閉機１６は、電気により回転駆動して巻取りシャフト１７を回転させる機器である。これには例えば電動モータを挙げることができる。電動開閉機１６は、一方のブラケット１５に固定される。例えば電動開閉機１６の正転によりシャッターカーテン１３の巻き取られ、逆転によりシャッターカーテン１３の巻き戻しが行われる。
【００２４】
巻取りシャフト１７は、シャッターカーテン１３の左右幅方向（図１の紙面左右方向）に沿って２つのブラケット１５、１５間を渡されるように水平に設けられた円筒状の部材で、該円筒の中心軸を軸として回動可能に設置されている。上記のように巻き取りシャフト１７は、電動開閉機１６により回動される。
一方、巻取りシャフト１７の外周の所定部分にシャッターカーテン１３の上端が固定されている。
【００２５】
シャッター制御装置１８は、シャッターカーテン１３の巻き取り（上昇）、巻き戻し（降下）、停止等に関する各機器からの信号を受信し、シャッターカーテン１３を実際にどのように動作させるかを判断するとともに、その判断結果を機器に命令する装置である。後述する開閉操作手段２０からの指令もシャッター制御装置１８により受信される。
シャッター制御装置１８の構成は特に限定されるものではないが、例えば信号を受信して取り込む入力部、どのように動作すべきかが決められたプログラムを格納しておくＲＯＭ、演算を実行する中央演算子、各種信号や演算結果を一時的に記憶して演算領域として機能するＲＡＭ、及び結果を外部に出力する出力部等を備えた電気回路により構成されている。これにより、シャッター装置１が現時点においてどのような動作をすべきかを適切に判断することができ、利便性と安全性、及び動作の信頼が図られる。
【００２６】
開閉操作手段２０は、操作手段として使用者が自分の意思によりシャッターカーテン１３を巻取り（上昇）、停止、巻戻し（降下）させるための操作をする手段である。開閉操作手段２０は、本体側装置２１と操作側装置３１とを備えている。図２には図１のうち開閉操作手段２０に注目した図を示した。
【００２７】
本体側装置２１は、開閉操作手段２０のうちシャッター装置本体１０に常設される装置であり、具体的にはガイドレール１１に配置されている。ガイドレール１１への本体側装置２１への取り付け位置は特に限定されることはなく室外側正面、側面等が挙げられる。高さ方向位置も特に限定されることはないが、使用者が操作側装置３１を着脱容易であるような位置であることが好ましい。
図３に本体側装置２１の正面図（図３（ａ））、及び図３（ａ）にＩＩＩｂ−ＩＩＩｂで示した線に沿った断面図（図３（ｂ））を表した。図２、図３からわかるように、本体側装置２１は、ケース２２、接続端子２３、作動スイッチ２４、シリンダー錠２５、及び作動板２６を備えている。
【００２８】
ケース２２は、接続端子２３、作動スイッチ２４、シリンダー錠２５、及び作動板２６を内包し、本体側装置２１の外郭を形成する箱状である。また、ケース２２には、そのフタ２２ｂ側に接続端子２３の一端（操作側装置３１との接続側）が露出する孔２２ｃを有している。この孔２２ｃは、後述する操作側装置３１の接続端子３４が貫通して接続端子２３に接続することができる大きさに形成されている。
【００２９】
接続端子２３は、操作側装置３１が接続される端子である。具体的には接続端子２３は操作側装置３１からの操作に関する電気信号を本体側装置２１に受け入れることが可能な接続端子である。このように、接続端子２３は電気信号を伝達することができればよく、具体的な接続端子の種類は特に限定されるものではない。
さらに、接続端子２３は、シャッター装置本体１０のシャッター制御装置１８に電気的に接続され、操作側装置３１からの信号をシャッター制御装置１８に伝達する。
【００３０】
作動スイッチ２４は、本体側装置２１と操作側装置３１との電気的な接続の許容及び禁止を切り替えるスイッチである。従って、作動スイッチ２４が「入」の状態となれば本体側装置２１と操作側装置３１との電気的な接続が許容される。一方作動スイッチが「切」の状態では電気的な接続が禁止される。
本実施形態は作動スイッチ２４はアクチュエータ２４ａが具備され、該アクチュエータ２４ａが押圧されている間スイッチが「入」となる。
【００３１】
シリンダー錠２５は、鍵を差し込み、回転させることにより施錠及び開錠を切り替える錠装置である。本実施形態ではシリンダー錠２５はその回転軸に板２５ａが固定されており、施錠及び開錠における回転動作に追随して板２５ａが回動するように形成されている。
【００３２】
作動板２６はその一端に折り曲げ部２６ａが設けられた板状の部材であり、接続端子２３の一端側（操作側装置３１との接続側）が貫通可能な孔２６ｂが設けられている。この孔２６ｂは、後述する操作側装置３１の接続端子３４は貫通することができない大きさに形成されている。
【００３３】
以上説明したような各構成部材が次のように組み合わされて本体側装置２１とされている。
図３（ｂ）からわかるようにケース２２の底２２ａに接続端子２３及び作動スイッチ２４が上下方向に並べて配置される。このとき、ケース２２のフタ２２ｂに設けられた孔２２ｃから接続端子２３の一端側である接続部がケース２２のフタ２２ｂ側に露出するように配置される。
さらにケース２２のフタ２２ｂには、作動スイッチ２５の下方にシリンダー錠２５が配置される。ここでシリンダー錠２５のうち鍵を差し込み操作する部分がフタ２２ｂより外側に配置されて露出し、板２５ａがケース２２内に納められる。
【００３４】
作動板２６は、図３（ｂ）からわかるように、その一端がケース２２内の上部に回動可能に取り付けられ、折り曲げ部２６ａを具備する他端側が下部となるとうに上下に延びるように配置されている。作動板２６は、ケース２２のフタ２２ｂの裏側（底２２ａ側）に隣接して該フタ２２ｂに沿って配置される。図３（ｂ）に表される施錠状態の姿勢で作動板２６と他の部材との関係は次の通りである。
接続端子２３については、該接続端子２３の一端のみが作動板２６の孔２６ｂ内に配置され、作動板２６が移動しない限りは作動板２６が邪魔して操作側装置３１を接続端子２３に接続することができないように位置づけられる。
作動スイッチ２４については、該作動スイッチ２４とフタ２２ｂとの間に作動板２６が配置され、作動スイッチ２４のアクチュエータ２４ａは押圧されず、「切」の姿勢が保持されている。
シリンダー錠２５については、該シリンダー錠２５の板２５ａが上方に延び、板２５ａとフタ２２ｂとの間に作動板２６の折り曲げ部２６ａが配置される。すなわち、この姿勢では作動板２６は上部の支点を中心に回動しようとしても下端の折り曲げ部２６ａが板２５ａ及びフタ２２ｂにより阻害され、回動することができないように構成されている。
開錠に伴う本体側装置２１の動作については後で説明する。
【００３５】
操作側装置３１は、図２に表れているように操作部３２、ケーブル３３及び接続端子３４を備えている。
操作部３２は、シャッターの開閉をはじめとする各種操作ボタンが配置され、操作されたボタンに応じた信号を発信する部位である。このような部位は従来のシャッター装置と同様の装置を適用することができる。
ケーブル３３は、操作部３２からの信号を伝達するケーブルであり、公知のものを用いることができる。
接続端子３４は、ケーブル３３の端部に具備され、上記本体側装置２１の接続端子２３に接続し、本体側装置２１と操作側装置３１とを電気的に連結する端子である。
【００３６】
本体側装置２１と操作側装置３１とは、接続端子２３と接続端子３４との着脱により、取り付け及び取り外しが可能とされている。
本体側装置２１と操作側装置３１とが離脱した状態から、本体側装置２１に操作側装置３１を装着することを考える。
【００３７】
図３（ａ）、図３（ｂ）に示した姿勢で操作側装置３１の接続端子３４を本体側装置２１の接続端子２３に装着しようとした場合、上記したように、シリンダー錠２５の板２５ａとケース２２のフタ２２ｂとの間に作動板２６の折り曲げ部２６ａが配置されているため、作動板２６が上部の支点を中心に回動することができない。さらにフタ２２ｂの孔２２ｃは接続端子３４が貫通することができるものの、作動板２６の孔２６ｂは接続端子３４が貫通することができないので、作動板２６が移動しない限り、接続端子３４を接続端子２３に差し込むことができない。従って、接続端子２３に操作側装置３１を接続できないのでシャッターの開閉を行うことはできない。
さらに、作動板２６が回動しないので、作動スイッチ２４のアクチュエータ２４ａが押圧されず、作動スイッチ２４が「切」の状態に保持される。すなわち、仮に不正に接続端子２３に電気的な接続を行った場合でも作動スイッチ２４が「切」状態であるためシャッターの開閉を行うことはできない。
【００３８】
一方、シリンダー錠２５を開錠すると本体側装置２１の接続端子２３に操作側装置３１の接続端子３４の接続をすることが可能となる。図４に説明のための図を示した。図４からわかるように、シリンダー錠２５に矢印Ａのように鍵を差し入れて、矢印Ｂのように回転させると板２５ａが回動し、下方側に延びる姿勢となる。これにより作動板２６が矢印Ｃのようにケース２２の底２２ａ側に回動可能となる。この姿勢で操作側装置３１の接続端子３４を矢印Ｄのように本体側装置２１の接続端子２３に接続すれば、接続端子３４は、フタ２２ｂの孔２２ｃは貫通し、作動板２６の孔２６ｂは貫通しないので、接続端子３４が矢印Ｃのように作動板２６のみ適切に押圧して回動させ、両者が接続される。さらに、押圧された作動板２６が矢印Ｅのように作動スイッチ２４のアクチュエータ２４ａを押圧するので、これにより初めて作動スイッチ２４が「入」の状態となり、シャッターの開閉が可能となる。
【００３９】
さらに、本実施形態では、本体側装置２１と操作側装置３１との間で認証をおこなうように電気的な回路を備えている。すなわち、仮に図４に示したように機械的に両者の接続ができたとしても、本体装置２１に対する適切な操作側装置３１でないと認証を得ることができず、シャッターの開閉をすることができない。
このような認証回路を用いる回路構成は公知の技術を適用することができる。
【００４０】
以上のように、操作側装置３１が本体側装置２１に対して適切に接続され、認証が確認されたときには、操作側装置３１の操作部３２の操作によるシャッター開閉の操作信号が本体側装置２１の接続端子２３を介してシャッター装置本体１０のシャッター制御装置１８に伝わり、開閉がおこなわれる。
【００４１】
シャッター装置１によれば、次のような効果を奏するものとなる。
操作部３２をシャッター装置本体１０から離脱させることができるので、操作するきっかけを与えることがなく、悪戯や侵入の動機付けを絶つことが可能となる。
また、本実施形態のような本体側装置２１の構造とすれば、少なくともシリンダー錠２５及び操作側装置３１の両者が揃わないとシャッターの開閉をすることができないので、複数の防犯手段が施されている。
さらに、上記認証の構成を用いた場合には、仮に何らかの方法により本体側装置２１と操作側装置３１とが接続できたとしても、両者が適切な関係にない限りシャッター装置の開閉をすることができないので、さらなる防犯性向上が図られる。
【００４２】
操作側装置を着脱可能とすることにより、さらに次のような利便性向上が図られる。
従来においては、多くのシャッター装置が存在する場合、どの開閉スイッチがどのシャッターの開閉を行うためのものかが分かり難くなることがあった。これに対して本発明によれば、本体側装置が直接シャッター装置本体に備えられているので、使用者は迷うことなく開閉対象のシャッター装置を開閉することができる。特に、店舗拡大等によりシャッター装置の増設がおこなわれたときには、複数のシャッター装置の開閉スイッチが１か所にまとめられたり、逆に開閉スイッチの場所があちらこちらに分散されたりして、必ずしも操作性に優れているとはいえなかった。本発明によればこれを解消することができる。
【００４３】
また、本発明によれば本体側装置は複数のシャッター装置のそれぞれに配置される必要はあるが、操作側装置はこれら複数のシャッター装置に共通の１つの操作側装置とすることもでき、必ずしも複数のシャッターごとに操作側装置を準備する必要がない。すなわち、シャッター装置本体１０が複数設けられ、それぞれのシャッター装置本体１０には本体側装置２１が配置されても、１つの操作側装置３１で２つ以上のシャッター装置本体１０のシャッターカーテン１３の開閉操作が可能とすることができる。これによれば操作部の数を減らすことができ、コストを削減することが可能となる。
【符号の説明】
【００４４】
１  シャッター装置
１０  シャッター装置本体
１１  ガイドレール
１３  シャッターカーテン
１４  ケース
１５  ブラケット
１６  電動開閉機
２０  開閉操作手段
２１  本体側装置
２２  ケース
２３  接続端子
２４  作動スイッチ
２５  シリンダー錠
３１  操作側装置
３２  操作部
３３  ケーブル
３４  接続端子
【図１】
2014055410.tif 000003
【図２】
2014055410.tif 000004
【図３】
2014055410.tif 000005
【図４】
2014055410.tif 000006